(57)【要約】【課題】圃場にできた凸所の土を削り取り、その削り取った土を圃場の凹所まで運搬して埋め込むことが可能な整地装置を移動農機に設ける。【解決手段】耕耘ロータリ４の上方を覆うロータリカバー１６と、該ロータリカバー１６の後部に上下回動可能に軸支したリヤカバー１８とを備え、且つ耕耘ロータリ４の後方に支持部材２３，２３を介してバケット２２を支承し、該バケット２２を耕耘ロータリ４の昇降に従動させると共に、リヤカバー１８とバケット２２が側面視で上下に重合するように構成し、当該耕耘ロータリ４で耕耘した土Ｅを前記バケット２２に受容できるようにした。【選択図】      図１
2004236583.tif 000002
【特許請求の範囲】
【請求項１】
機体後方に耕耘ロータリ（４）を昇降自在に連結した移動農機（１）に設ける整地装置であって、耕耘ロータリ（４）の上方を覆うロータリカバー（１６）と、該ロータリカバー（１６）の後部に上下回動可能に軸支したリヤカバー（１８）とを備え、且つ耕耘ロータリ（４）の後方に支持部材（２３，２３）を介してバケット（２２）を支承し、該バケット（２２）を耕耘ロータリ（４）の昇降に従動させると共に、耕耘ロータリ（４）で耕耘した土（Ｅ）を前記バケット（２２）で受容可能に構成したことを特徴とする移動農機における整地装置。
【請求項２】
バケット（２２）を、耕耘ロータリ（４）の耕耘幅と略同幅で上下に開閉可能な底板（２４）と該底板（２４）と同幅の背板（２５）、及び左右の側板（２６Ｌ，２６Ｒ）によって形成すると共に、底板（２４）の前後姿勢が略水平に支承されるように構成したことを特徴とする請求項１記載の移動農機における整地装置。
【請求項３】
リヤカバー（１８）とバケット（２２）が側面視で上下に重合するように構成したことを特徴とする請求項１または請求項２記載の移動農機における整地装置。
【発明の詳細な説明】
【０００１】
【発明の属する技術分野】
本発明は、圃場の凹凸を整地するトラクタ等の移動農機における整地装置に関し、詳しくは、圃場に出来た凸所の土を削り取って、その削り取った土を圃場の凹所に埋め込むことにより圃場を整地する整地装置に関するものである。
【０００２】
【従来の技術】
従来、田畑の荒れや高低差を均すと共に、比較的大きな凹所があっても土で凹所を埋めて整地できるように、農作業機本体に設けられているロータリ部の後方に、底板、側板および背板からなる農作業機本体の巾方向に長い土均し体を着脱可能に設け、この土均し体を農作業機本体の前進方向の下方に向け回動可能に構成したものがある（例えば、特許文献１参照。）。
【０００３】
【特許文献１】
特開平１０−２４８３０４号公報（第２−３頁、図１−図３）
【０００４】
【発明が解決しようとする課題】
しかしながら、上述した土均し体は、該土均し体の底板で農作業機本体の進行と共に田畑の高低差のある箇所の土を押し均し、且つ底板の前端で高所の余分の土を削り取るものであって、その作業抵抗によって農作業機のパワーロスが大きくなるという欠点を有していた。
【０００５】
【課題を解決するための手段】
本発明は、上記課題を解決することを目的として創案したものであって、機体後方に耕耘ロータリを昇降自在に連結した移動農機に設ける整地装置であって、耕耘ロータリの上方を覆うロータリカバーと、該ロータリカバーの後部に上下回動可能に軸支したリヤカバーとを備え、且つ耕耘ロータリの後方に支持部材を介してバケットを支承し、該バケットを耕耘ロータリの昇降に従動させると共に、耕耘ロータリで耕耘した土を前記バケットで受容可能に構成したことを第１の特徴としている。
【０００６】
そして、バケットを、耕耘ロータリの耕耘幅と略同幅で上下に開閉可能な底板と該底板と同幅の背板、及び左右の側板によって形成すると共に、底板の前後姿勢が略水平に支承されるように構成したことを第２の特徴としている。
【０００７】
そして、リヤカバーとバケットが側面視で上下に重合するように構成したことを第３の特徴としている。
【０００８】
【発明の実施の形態】
本発明の実施形態を以下添付図面に基づいて詳細に説明する。図１、図３及び図４は本発明の整地装置を移動農機であるトラクタに装着した側面図であり、図１は圃場に出来た凸所の土を削り取っている状態を示し、そして図３は削り取った土を運搬している状態を示し、更に図４は削り取った土を圃場の凹所に埋め込んでいる状態を示したものである。また、図２は本発明の整地装置の平面図である。
【０００９】
トラクタ１の機体後方には、３点リンク２及びオートヒッチ３を介して耕耘ロータリ４が昇降自在に装着されている。
前記耕耘ロータリ４の中央部にはギヤケース５が設けてあり、該ギヤケース５の上部に一対のブーメラン形状のトップマスト６，６を固設し、そのトップマスト６，６の前側上部を前記オートヒッチ３に連結するように構成してある。
【００１０】
そして、前記トップマスト６，６の後側上部には、通常は尾輪や畦立器等を装着するツールバー７の上下姿勢を調節するためのネジ式調節装置８を軸支してある。
前記ネジ式調節装置８は二重筒構造（不図示）になっており、トップマスト６，６側に設けたハンドル９を回転させると内筒のネジ軸が回転し、当該ネジ式調節装置８を伸縮作動させることができるのでツールバー７の上下姿勢の調節は簡単に行なえる。
【００１１】
また、前記ギヤケース５の両側には、左右一対の筒状アーム１０，１１を配設すると共に、その左端側にはチェンケース１２、右端側にはサイドプレート１３を固設してある。
そして、複数本の耕耘爪１４を固設してなる耕耘軸１５は、前記チェンケース１２下部の駆動側軸受部と、サイドプレート１３下部に設けた受動側軸受部に支持され、チェンケース１２内の伝動装置によって駆動する。
【００１２】
また、前記耕耘爪１４の回転軌跡の上方を覆うロータリカバー１６は、側面視で略円弧状（天板状）の形状を有し、その左右両側にはサイドカバー１７，１７が配設してある。
そして、前記ロータリカバー１６の後部に支点Ｐを回動中心としてリヤカバー１８を上下回動可能に軸支すると共に、左右一対の吊りロッド１９，１９によってリヤカバー１８を持ち上げ可能に構成し、該リヤカバー１８と前記耕耘爪１４の回転軌跡との空間Ｓを所望の隙間に調節できるようにしてある。
【００１３】
また、平面視で略Ｈ型のサポート２１は、前記左右一対の筒状アーム１０，１１に回動可能に軸支されて後方に向け突出すると共に、当該サポート２１を構成する一対の縦パイプ２１ａ，２１ａに上述したツールバー７を嵌装できるように構成してある。
そして、前記ツールバー７の左右両端にはプレート７ａ，７ａが固着してあり、該プレート７ａ，７ａに、耕耘ロータリ４の後方でバケット２２を支承する左右の支持部材２３，２３を螺設してある。
【００１４】
前記バケット２２は、耕耘ロータリ４の耕耘幅と略同幅で上下に開閉可能な底板２４と、該底板２４と同幅の背板２５、及び左右の側板２６Ｌ，２６Ｒによって形成されると共に、底板２４はバケット２２前端部の支点Ｑを回動中心として開閉できるように軸支してある。
そして、前記底板２４後部の左右両側にピン３１，３１を突設すると共に、捩じりスプリング３２，３２で付勢されてピン３１，３１に係止するフック３３，３３を左右の側板２６Ｌ，２６Ｒに設け、常時は当該ピン３１，３１にフック３３，３３を係止させた状態、即ち底板２４は閉じた状態になっている。
【００１５】
また、上述した両ピン３１，３１とフック３３，３３の係止解除操作は、該フック３３，３３とワイヤ３４，３４を介して連繋するトップマスト６，６の一側に設けた操作レバー３５で行なわれる。
尚、図中３７は操作レバー３５の戻しスプリングであり、また３８，３８はバケット２２の底板２４の戻しスプリングであって、該戻しスプリング３８，３８によりバケット２２が空の状態では当該底板２４は閉じるようになっている。
【００１６】
また、上述したバケット２２は、左右の支持部材２３，２３の下部に支承されると共に、その支承点Ｒをバケット２２の重心よりも前側に設けてある。
そして、前記支承点Ｒを中心とする円弧状の長穴２３ａ，２３ａを支持部材２３，２３に穿孔する一方、前記長穴２３ａ，２３ａに嵌挿するピン４１，４１をバケット２２側板２６Ｌ，２６Ｒに突設してあり、当該長穴２３ａ，２３ａの許容する範囲内でバケット２２が上下回動する構成になっている。
【００１７】
したがって、上述した取付け構成のバケット２２によって、図１に示すような圃場にできた凸所Ｇ１を耕耘ロータリ４で耕耘する際は、先ずリヤカバー１８を持ち上げた状態で耕耘ロータリ４に従動してバケット２２を降下させ、該バケット２２の底板２４の前後姿勢が圃場面に接地して略水平状態になると、バケット２２の前側と耕耘ロータリ４のリヤカバー１８の後側が側面視で上下に重合する構成になっているので、耕耘ロータリ４で撥ね上げられた土Ｅは、前記バケット２２とリヤカバー１８の重合部の空間Ｓ１を通過してバケット２２に受容されるようになっている。
即ち、上述した構成は、耕耘ロータリ４による耕耘を行ないながら耕耘した土Ｅをバケット２２に受容させるものであるからパワーロスが少なく、当該整地装置を低馬力の小型トラクタ等に採用することも可能である。
【００１８】
尚、前記トップマスト６，６側に設けたハンドル９の回転操作によるバケット２２の上下位置（高さ）調節と、左右一対の吊りロッド１９，１９によるリヤカバー１８の回動量の調節によって、前記バケット２２とリヤカバー１８の重合部の空間Ｓ１を適宜設定することが可能であり、それにより耕耘ロータリ４で撥ね上げられた土Ｅがバケット２２に受容される単位時間当たりの受容量が調整できると共に、当該土Ｅの飛散を防止することも可能である。
そして、上述したように、バケット２２の前側と耕耘ロータリ４のリヤカバー１８の後側を側面視で上下に重合させる構成にすることによって、バケット２２の配設位置はトラクタ１に近づけられるので、該トラクタ１の前後バランスが向上する。
【００１９】
また、前記バケット２２を構成する底板２４の前部は前上がり傾斜に形成されており、且つ底板２４の前後姿勢が圃場面に接地する略水平状態で耕耘ロータリ４で撥ね上げられた土Ｅを受容するので、当該底板２４の先端が土中に食い込むことによってパワーロスが生じることは殆ど起こらない。
【００２０】
そして、前記バケット２２に所望量の土Ｅ１を受容すると、図３に示す如く耕耘ロータリ４の上昇に従動してバケット２２も上昇させた当該土Ｅ１の運搬姿勢がとられる。この時、バケット２２の支承点Ｒは、バケット２２の重心よりも前側に設けてあるので、前記支承点Ｒを中心としてバケット２２は後方下向きに回動しようとするが、バケット２２の支持部材２３，２３に穿孔した支承点Ｒを中心とする円弧状の長穴２３ａ，２３ａに嵌挿するピン４１，４１によって、バケット２２の後方下向きの回動が規制され、当該バケット２２の底板２４の前後姿勢は常時略水平に支承される構成になっている。
【００２１】
したがって、前記バケット２２の底板２４は、圃場面に接地して耕耘ロータリ４で撥ね上げられた土Ｅを受容する受容姿勢から耕耘ロータリ４の上昇に従動して上昇した運搬姿勢まで略水平に保持されるので、当該バケット２２からの土こぼれが起こり難くなる。
【００２２】
次いで、前記バケット２２に受容した所望量の土Ｅ１を、図４に示す圃場にできた凹所Ｇ２に埋め込む際の手順を以下説明する。
【００２３】
図示の如く圃場にできた凹所Ｇ２上にバケット２２が位置するようにトラクタ１を移動し、しかる後にトップマスト６，６の一側に設けた操作レバー３５を引き操作すると、該操作レバー３５とワイヤ３４，３４を介して連繋するバケット２２の左右の側板２６Ｌ，２６Ｒに設けたフック３３，３３と、バケット２２の底板２４後部の左右両側に突設させたピン３１，３１の係止が解除し、前記底板２４はバケット２２に受容した土Ｅ１の重みでバケット２２前端部の支点Ｑを回動中心として下方に開放され、当該土Ｅ１は落下して凹所Ｇ２が埋め込まれる。
【００２４】
そして、上述の如くバケット２２に受容した土Ｅ１の落下（排出）後は、戻しスプリング３８，３８の作用により底板２４が閉じられ、次いで捩じりスプリング３２，３２で付勢されたフック３３，３３がピン３１，３１に係止して、当該底板２４は確実に固定される。
【００２５】
【発明の効果】
以上説明したように本発明は、機体後方に耕耘ロータリ４を昇降自在に連結した移動農機１に設ける整地装置であって、耕耘ロータリ４の上方を覆うロータリカバー１６と、該ロータリカバー１６の後部に上下回動可能に軸支したリヤカバー１８とを備え、且つ耕耘ロータリ４の後方に支持部材２３，２３を介してバケット２２を支承し、該バケット２２を耕耘ロータリ４の昇降に従動させると共に、耕耘ロータリ４で耕耘した土Ｅを前記バケット２２で受容可能に構成したものであり、上記構成は耕耘ロータリ４による耕耘を行ないながら耕耘した土Ｅをバケット２２に受容させるものであるからパワーロスが少なく、当該整地装置を低馬力の小型トラクタ等に採用することも可能である。
【００２６】
そして、バケット２２を、耕耘ロータリ４の耕耘幅と略同幅で上下に開閉可能な底板２４と該底板２４と同幅の背板２５、及び左右の側板２６Ｌ，２６Ｒによって形成すると共に、底板２４の前後姿勢が略水平に支承されるように構成したことによって、前記バケット２２の底板２４は、圃場面に接地して耕耘ロータリ４で撥ね上げられた土Ｅを受容する受容姿勢から耕耘ロータリ４の上昇に従動して上昇した運搬姿勢まで略水平に保持されるので、当該バケット２２からの土溢れが起こり難くなる。
【００２７】
また、リヤカバー１８とバケット２２が側面視で上下に重合するように構成したので、耕耘ロータリ４で撥ね上げられた土Ｅがバケット２２に受容される単位時間当たりの受容量を調整できると共に、当該土Ｅの飛散を防止することも可能であり、更にバケット２２の配設位置を移動農機１に近づけられるので、該移動農機１の前後バランスが向上する。
【図面の簡単な説明】
【図１】本発明の整地装置で圃場にできた凸所の土を削り取っている状態を示す側面図である。
【図２】本発明の整地装置の平面図である。
【図３】本発明の整地装置で削り取った土を運搬している状態を示す側面図である。
【図４】本発明の整地装置で削り取った土を圃場の凹所に埋め込んでいる状態を示す側面図である。
【符号の説明】
１      移動農機（トラクタ）
４      耕耘ロータリ
１６    ロータリカバー
１８    リヤカバー
２２    バケット
２３    支持部材
２４    底板
２５    背板
２６Ｌ  側板（左）
２６Ｒ  側板（右）
Ｅ    土
【図１】
2004236583.tif 000003
【図２】
2004236583.tif 000004
【図３】
2004236583.tif 000005
【図４】
2004236583.tif 000006